(57)【要約】【課題】入浴者の様々な身長や姿勢の維持に対応でき、取扱いが簡便で、洗浄・消毒作業においても利便性が高い入浴者用担架を提供すること。【解決手段】枠体１０と、枠体１０内に位置する入浴者を載せるための担架シート２０と、該担架シート２０を支持する紐状体１５、３０とを備えた入浴用担架であり、担架シート２０の入浴者の頭部側に頭部支持部６０を設けるとともに、担架シート２０の脚部側に脚部支持部７０を設けている。頭部支持部は、枕６１と、枕６１をスライド可能に支持する担架シートに一体に設けられた袋状の枕収納部６２とから成り、脚部支持部７０は、紐状体１５，３０にスライド可能に支持されたベルト７１と該ベルト７１の頭部側端と担架シート２０の脚部側端の間に設けられた連結シート７２とから成る。【選択図】  図３
2004229822.tif 000002
【特許請求の範囲】
【請求項１】
浴槽の周縁部上面に載置される枠体と、該枠体内に位置する入浴者を載せるための担架シートと、前記担架シートの左右両側を支持するために前記枠体の内側に該枠体の長手方向に沿って張設された一対の紐状体と、を備えた入浴用担架において、
前記担架シートの入浴者の頭部側に頭部支持部を設け、該頭部支持部は、枕と、該枕を出し入れ自在に保持する前記担架シートに一体に設けられた袋状の枕収納部とから成ることを特徴とする入浴用担架。
【請求項２】
前記枕収納部は、担架シートの頭部側の部分を表面シートと裏面シートから構成し、担架シートと一体に設けられている請求項１記載の入浴用担架。
【請求項３】
前記枕の幅は、前記枕収納部の幅と略同じであり、前記枕の挿脱方向における長さは、前記枕収納部の長さより長めに設定されている請求項１記載の入浴用担架。
【請求項４】
浴槽の周縁部上面に載置される枠体と、該枠体内に位置する入浴者を載せるための担架シートと、前記担架シートの左右両側を支持するために前記枠体の内側に該枠体の長手方向に沿って張設された一対の紐状体と、を備えた入浴用担架において、
前記担架シートの入浴者の脚部側に脚部支持部を設け、該脚部支持部は、前記一対の紐状体にそれぞれスライド可能に設けられたベルト部と該ベルト部の頭部側端と前記担架シートの脚部側端の間に設けられた連結シートとから成ることを特徴とする入浴用担架。
【請求項５】
前記連結シートは、前記一対の紐状体に支持されていない請求項４記載の入浴用担架。
【請求項６】
浴槽の周縁部上面に載置される枠体と、該枠体内に位置する入浴者を載せるための担架シートと、前記担架シートの左右両側を支持するために前記枠体の内側に該枠体の長手方向に沿って張設された一対の紐状体と、を備えた入浴用担架において、
前記担架シートの入浴者の頭部側に頭部支持部を設けるとともに、前記担架シートの脚部側に脚部支持部を設け、前記頭部支持部は、枕と、該枕を出し入れ自在に保持する前記担架シートと一体に設けられた袋状の枕収納部とから成り、前記脚部支持部は、前記一対の紐状体にそれぞれスライド可能に支持されたベルト部と、該ベルト部の頭部側端と前記担架シートの脚部側端の間に設けられた連結シートとから成ることを特徴とする入浴用担架。
【発明の詳細な説明】
【０００１】
【発明の属する技術分野】
本発明は、介護が必要とされる入浴者を介護人が入浴させるときに用いる入浴用担架に関するものであり、特に、浴槽と組み合わせて使用する入浴用担架に関するものである。
【０００２】
【従来の技術】
従来の入浴用担架の一例が特開平２００１−２９９８６３号（特許文献１）に開示されている。図１に示すように、この従来の入浴用担架１ａは、概略、浴槽の周縁部上面に載置される略長方形の枠体１０と、枠体１０内に位置する入浴者を載せるための担架シート２０と、担架シート２０の左右両側を支持するための２本の支持用ベルト３０、３０から構成されている。
【０００３】
より詳しく説明するに、上記枠体１０は、概略、所定間隔（好ましくは、浴槽の幅にほぼ相当する間隔）で設けられた一対の左右把手管１１、１１と、これらの上部及び下部を連結する上部連結管１２及び下部連結管１３とにより構成されている。
【０００４】
この枠体１０の内側には、左右把手管１１、１１に沿って、該枠体１０の長手方向に張設された一対の支持用ベルト（紐状体）３０，３０が設けられている。担架シート２０は、長手方向中央部に向かうに従い徐々に幅が狭くなった略長方形状を有しており、その左右両側には、一対の筒状体２２、２２が一体に設けられている。そして、これらの筒状体２２，２２に支持用ベルト３０，３０がそれぞれ挿通されており、これらの一対の支持用ベルト３０，３０により担架シート２０が枠体１０内に支持されるようになっている。
【０００５】
この支持用ベルト３０，３０の一方の端部は、上部連結管１２に連結金具１７ａ，１７ａを介して連結されており、また他方の端部には連結金具１６，１６を介してワイヤ１５，１５が連結されている。ワイヤ１５，１５は、下部連結管１３の挿通孔１７ｂ，１７ｂを介して枠体１０の一方の把手管１１の中を通り、該把手管１１の内部に設けられハンドル１４の回転により伸縮する牽引機構（図示せず）に連結されている。それにより、ハンドル１４を回転操作することにより、支持用ベルト３０、３０を緊張または弛緩させて、担架シート２０を上下に変位させることが可能な構造となっている。
【０００６】
なお、前記牽引機構は、例えば実公平６−３５７６に記載されている入浴用の担架ネット巻取り機構のような機構であり、ハンドル１４の回転により、下部連結管１３側のワイヤ１５，１５を挿通孔１７ｂ，１７ｂから枠体１０内に引き寄せあるいは引き出すことが可能となっている。このワイヤ１５，１５も担架シート２０を支持する紐状体を構成する。
【０００７】
以上の構造により、浴槽（図示せず）の上部にこの入浴用担架１ａを載置した状態で手でハンドル１４を所定方向に回転させることによって、支持用ベルト３０，３０を前記枠体１０の下部連結管１３側に引き寄せ、担架シート２０に横たわった入浴者を浴槽の上方へと上昇させたり、あるいは、ハンドル１４を逆転させて支持用ベルト３０，３０の緊張を緩めて、入浴者を浴槽内にへと下降させることが可能となっている。
【０００８】
なお、前記担架シート２０は、前述したように、長手方向中央部に向かうに従い徐々に幅が狭くなった略長方形状を有しており、合成繊維などの肌触りがよくかつ水はけのよい素材からなるネットシート２１と、該ネットシート２１の左右両側縁に一体に設けられた前記一対の筒状体２２，２２と、これらの筒状体２２，２２の間に設けられた複数の補強用ベルト２３とから構成されている。
【０００９】
この入浴用担架１ａにおいては、入浴者の身体を支持するための担架シート２０は、一般的な身長の入浴者の首から膝上までの程度の長さに設定されており、入浴者の頭部や膝下の脚部が担架シート２０の前後からはみ出すようになっている。これは、入浴者の頭部をシャワー等で洗髪したり、入浴者の脚部のみを浴槽内の湯に浸し、足浴するためである。
【００１０】
このため従来の入浴用担架１ａでは、入浴者の頭部や脚部を支持するために、図２に示す頭部支持帯４と脚部支持帯５とが用いられてきた。頭部支持帯４は、一対の左右把手管１１、１１に筒状に巻きつけてそれらの間に張り渡すことが可能な帯部４１と、帯部４１の端部同士を連結して筒状にするための面ファスナー部４２と、帯部４１の上面にベルトなどにより着脱自在に取り付けられる枕部４３とから構成されている。また、脚部支持帯５は、一対のワイヤ１５，１５に筒状に巻きつけてそれらの間に張り渡すことが可能な帯部５１と、帯部５１の端部同士を連結して筒状にするための面ファスナー部５２から構成されている。
【００１１】
そして、入浴者の頭部のみを湯に浸す場合には、頭部支持帯４の面ファスナー部４２を剥がして頭部支持帯４を入浴用担架１ａから取り外すようになっており、また脚部のみを湯に浸す場合には、入浴者の脚部を持ち上げ、脚部支持帯５を取り外すようになっている。
【００１２】
【特許文献１】
特開平２００１−２９９８６３号
【００１３】
【発明が解決しようとする課題】
しかしながら、この従来の入浴用担架１ａに使用されている頭部支持帯４や脚部支持帯５は、担架シート２０とは別体に構成されているため、その着脱作業が煩雑であるという問題点があった。
【００１４】
特に、頭部支持帯４は、入浴者の肩部が担架シート２０により支持された状態で入浴者の頭部を支持するようになっているため、入浴者の肩部と頭部の間に段差が生じ、入浴者の安楽な姿勢の保持が困難であるという問題点があった。
【００１５】
また、これらの頭部支持帯４や脚部支持帯５は、担架シート２０とは別体として構成されているため、各支持帯４、５の入浴作業後における洗浄・消毒作業は、担架シート２０とは別に行わなければならないという問題点があった。
【００１６】
さらに、繰り返し取り外して洗浄していると、頭部支持帯４や脚部支持帯５の面ファスナー部４２、５２にゴミなどが付着したり、損耗したりして、締着力が低下するという問題もあった。
【００１７】
さらに、頭部支持帯４や脚部支持帯５は、担架シート２０とは別体として構成されているため、部品点数が多くなり、製造コストが上昇するという問題点もあった。
【００１８】
上記問題点に鑑み、本発明は、入浴者の様々な身長や姿勢の維持に対応すると共に、取扱いが簡便で、洗浄・消毒作業においても利便性が高い入浴者用担架を提供することを目的とする。
【００１９】
【課題を解決するための手段】
上記目的を達成するため、本発明の入浴用担架は、浴槽の周縁部上面に載置される枠体と、該枠体内に位置する入浴者を載せるための担架シートと、前記担架シートの左右両側を支持するために前記枠体の内側に該枠体の長手方向に沿って張設された一対の紐状体と、を備えた入浴用担架において、
前記担架シートの入浴者の頭部側に頭部支持部を設け、該頭部支持部は、枕と、該枕を出し入れ自在に保持する前記担架シートと一体に設けられた袋状の枕収納部とから成ることを特徴とする。
【００２０】
以上のような構成により、担架シートに頭部支持部が設けられているため、肩部と頭部の間に段差が生じることがない。さらに、枕の着脱も簡単であり、しかも枕の位置を最適位置へ容易に調整することができる。
【００２１】
さらに、前記枕収納部は、担架シートの頭部側の部分を表面シートと裏面シートから構成し、担架シートと一体に設けられていることが好ましい。
【００２２】
このような構成によれば、枕は、入浴者の肩部や頚部により枕収納部に挟まれるため、枕のズレを防止することができる。
【００２３】
さらに、前記枕の幅は、前記枕収納部の幅と略同寸であり、前記枕の挿脱方向における長さは、前記枕収納部の長さより長めに設定されていることが好ましい。
【００２４】
枕の幅を枕収納部の幅と略同寸にすることにより、枕を枕収納部に対してスライドさせる際の枕の幅方向におけるズレや傾きが規制される。また、枕の挿脱方向における長さを枕収納部の長さより長めに設定することにより、枕収納部からはみ出した部分を下向きに折り曲げて使用でき、洗髪時などにおける首への負担を軽くすることが可能となる。
【００２５】
また、本発明は、浴槽の周縁部上面に載置される枠体と、該枠体内に位置する入浴者を載せるための担架シートと、前記担架シートの左右両側を支持するために前記枠体の内側に該枠体の長手方向に沿って張設された一対の紐状体と、を備えた入浴用担架において、
前記担架シートの入浴者の脚部側に脚部支持部を設け、該脚部支持部は、前記一対の紐状体にそれぞれスライド可能に設けられたベルト部と該ベルト部の頭部側端と前記担架シートの脚部側端の間に設けられた連結シートとから成ることを特徴とする。
【００２６】
以上のような構成によれば、脚部支持部の装着作業が不要になるだけでなく、担架シートとベルト部と連結シートが連結されているため、それらの洗浄・消毒作業を同時に行うことができる。
【００２７】
また、前記連結シートは、紐状体に支持されていないことが好ましい。
連結シートが紐状体には支持されていないため、ベルト部を頭部側にスライド移動させた際に、連結シートは下方に垂れ下がり、入浴作業の邪魔にならない。
【００２８】
さらに、本発明は、浴槽の周縁部上面に載置される枠体と、該枠体内に位置する入浴者を載せるための担架シートと、前記担架シートの左右両側を支持するために前記枠体の内側に該枠体の長手方向に沿って張設された一対の紐状体と、を備えた入浴用担架において、
前記担架シートの入浴者の頭部側に頭部支持部を設けると共に、前記担架シートの脚部側に脚部支持部を設け、前記頭部支持部は、枕と、該枕を出し入れ自在に保持する前記担架シートに一体に設けられた袋状の枕収納部とから成り、前記脚部支持部は前記一対の紐状体にそれぞれスライド可能に支持されたベルト部と該ベルト部の頭部側端と前記担架シートの脚部側端の間に設けられた連結シートとから成ることを特徴とする。
【００２９】
このような頭部支持部と脚部支持部を設けることにより、頭部支持部と脚部支持部のそれぞれによる作用効果のほか、入浴者の様々な身長に容易に対応することが可能となるという効果がある。
【００３０】
本発明の他の目的、作用及び効果は、以下の実施の形態及びその図面から明らかにされる。
【００３１】
【発明の実施の形態】
以下、本発明の入浴用担架の好適な実施形態を、図面を参照しつつ説明する。
【００３２】
図３は、本発明の入浴用担架の好適な実施形態に係る全体構成を示す斜視図である。なお、図１に示した従来の入浴用担架１ａの構造と同一の機能を有する構成部材には、同一の符号を用いている。
【００３３】
本発明の入浴用担架１は、概略、浴槽の周縁部上面に載置される略長方形の枠体１０と、枠体１０内に位置する入浴者を載せるための担架シート２０と、担架シート２０の左右両側を支持するための２本の支持用ベルト３０，３０（紐状体）と、前記担架シート２０の頭部側に位置する頭部支持部６０と、脚部側に位置する脚部支持部７０とから構成されている。
【００３４】
より詳しく説明するに、上記枠体１０は、概略、所定間隔（好ましくは、浴槽の幅にほぼ相当する間隔）で設けられた一対の左右把手管１１、１１と、これらの上部及び下部を連結する上部連結管１２及び下部連結管１３とにより構成されている。
【００３５】
この枠体１０の内側には、左右把手管１１、１１に沿って、該枠体１０の長手方向に張設された一対の支持用ベルト（紐状体）３０，３０が設けられている。担架シート２０は、長手方向中央部に向かうに従い徐々に幅が狭くなった略長方形状を有しており、その左右両側には、一対の筒状体２２、２２が一体に設けられている。そして、これらの筒状体２２，２２に前記支持用ベルト３０，３０がそれぞれ挿通されており、これらの一対の支持用ベルト３０，３０により担架シート２０が枠体１０内に支持されるようになっている。
【００３６】
この支持用ベルト３０，３０の一方の端部は、上部連結管１２に連結金具１７ａ，１７ａを介して連結されており、また他方の端部には連結金具１６，１６を介してワイヤ１５，１５が連結されている。ワイヤ１５，１５は、下部連結管１３の挿通孔１７ｂ、１７ｂを介して枠体１０の一方の把手管１１の中を通り、一方の把手管１１の内部に設けられ、ハンドル１４の回転により伸縮する牽引機構（図示せず）に連結されている。それにより、ハンドル１４を回転操作することにより、支持用ベルト３０，３０を緊張または弛緩させて、担架シート２０を上下に変位させることが可能な構造となっている。
【００３７】
なお、前記牽引機構は、前述したように、例えば実公平６−３５７６に記載されている入浴用の担架ネット巻取り機構のような機構であり、ハンドル１４の回転により、下部連結管１３側のワイヤ１５，１５を挿通孔１７ｂ，１７ｂから枠体１０内に引き込むことが可能となっている。このワイヤ１５，１５も担架シート２０を支持する紐状体を構成する。
【００３８】
浴槽（図示せず）の上部にこの入浴用担架１を載置した状態で、ハンドル１４を所定方向に回転させることによって、支持用ベルト３０を前記枠体１０の下部連結管１３側に引き寄せ、担架シート２０に横たわった入浴者を浴槽の上方へと上昇させたり、あるいは、ハンドル１４を逆転させて支持用ベルト３０の緊張を緩めて、入浴者を浴槽内にへと下降させることが可能となっている。
【００３９】
なお、前記担架シート２０は、前述したように、長手方向中央部に向かうに従い徐々に幅が狭くなった略長方形状を有しており、合成繊維などの肌触りがよくかつ水はけのよい素材からなるネットシート２１から形成されている。そして、このネットシート２１の左右両側縁に、前記一対の筒状体２２，２２がそれぞれ一体に設けられるとともに、これら筒状体２２，２２の間に複数の補強用ベルト２３が設けられている。
【００４０】
図４及び図５に示すように、頭部支持部６０は、担架シート２０の頭部側に位置し、着脱自在の枕６１と、枕６１を出し入れ自在に保持するために担架シート２０と一体に袋状に形成された枕収納部６２とから構成される。
【００４１】
枕６１は、内部クッション材とそれを収納する袋状体から構成されている。また、枕収納部６２は、担架シート２０の頭部側を表面シート２１ａと裏面シート２１ｂから構成し、これらのシート２１ａ，２１ｂとの間に形成される袋状の構造を備えている。そして、枕６１は、この枕収納部６２の開口部６３から挿入され、その結果、枕収納部６１に出し入れ自在に保持されている。
【００４２】
枕６１の幅は、枕収納部６２の幅と略同寸であり、このため、枕６１を枕収納部６２に対してスライドさせる際の枕６１の幅方向におけるズレや傾きが規制されている。また、枕６１の挿脱方向における長さは、枕収納部６２の長さよりいくらか長くなっており、このため、枕６１を枕収納部６２内に収納した状態ではみ出した部分を下側に折り曲げることが可能である。なお、枕収納部６２および枕６１は、入浴者の頭部や上半身が浴槽の底部に接触する部分を保護できるようなサイズに設定することが好ましい。
【００４３】
図６は、枕６１を枕収納部６２から引き出した状態を示している。この状態でも、入浴者の肩部や頚部により枕収納部６２が圧迫されるため、枕６１が枕収納部６２の表面シート２１ａと裏面シート２１ｂにより挟まれ脱落しない。このように、枕６１を適宜枕収納部６２により引き出すことにより、入浴者の身長の違いに対応できるようになっている。
【００４４】
図３及び図６に示すように、脚部支持部７０は、ワイヤ１５，１５に巻きつけられてそれらの間に張り渡されるとともに該ワイヤー１５，１５にスライド可能に支持されるベルト部７１と、ベルト部７１の頭部側端と担架シート２０の脚部側端の間に設けられた連結シート７２とから構成される。
【００４５】
ベルト部７１の両端部には、ループ部７３，７３が設けられており、各ループ部の内部にワイヤ１５，１５が通されている。このため、ベルト部７１は、ワイヤ１５，１５にガイドされながら、担架シート２０に対して頭部側や脚部側へスライドさせることができる。これにより、入浴者の身長の違いに対応することも可能になる。なお、図３は、ベルト部７１を脚部側に移動した状態を示し、また図６は、ベルト部７１を頭部側に移動した状態を示している。ベルト部７１を頭部側に移動した場合、連結シート７２は下方に撓むため、入浴作業の邪魔にならない。
【００４６】
以下、上記入浴用担架１を使用する際の作用効果について説明する。最初に、入浴者を入浴用担架１の上にのせる際、入浴者の身長に合わせて、頭部支持部６０の枕６１を適宜引き出すとともに、脚部支持部７０のベルト７１を適宜スライドさせる。
【００４７】
この際、枕収納部６２は、担架シート２０と一体に設けられているため、肩部と頭部の間に段差が生じることがない。また、ベルト７１の位置を適宜調節することにより、入浴者の脹脛部を連結シート７２により支持することができる。歩行困難な入浴者の場合、ほとんどが足首に何らかの問題を抱えているが、このようにベルト７１の位置を調節することにより、足首に脚部の重さが集中することを回避することができる。
【００４８】
先ず、入浴用担架１を浴槽の上面に載置し、頭部支持部の枕６１と脚部支持部７０のベルト７１の位置を以上のように適宜設定したのち、その状態で入浴者を担架の上に載せる。そして、洗髪する際には、枕６１の頭部側端が入浴者の頚部を支える位置まで枕６１を枕収納部６２内に押入れ、入浴者の頭部を湯に浸す。また、枕６１が枕収納部６２からはみ出した部分を下向きに折り曲げ、その折り曲げた部分が入浴者の頚部にくるようにしてもよい。枕６１により入浴者の頚部が支持されるため、頚部の負担が軽減されるとともに、容易にその最適位置に枕６１を移動することができる。前述したように、枕６１は入浴者の肩部や頚部により枕収納部６２に挟まれるため、枕６１のズレが防止される。
【００４９】
さらに、足を洗浄したり足浴したりする際には、ベルト７１を頭部側にスライドさせ、ベルト７１により大腿部を支持させ、足を湯に浸す。さらに、脚部を洗浄する際には、ハンドル１４を回転して支持用ベルト３０を弛緩させるとともにに、ベルト７１を頭部側にさらにスライドさせ、大腿部までが湯に浸るようにする。この際、連結シート７２がワイヤ１５，１５には支持されていないため、連結シート７２は下方に垂れ下がり、入浴作業の邪魔にならない。
【００５０】
このように、入浴作業における入浴者の姿勢は、入浴者の身長や入浴部位により細かく調整する必要があるが、本発明の入浴用担架１の頭部支持部６０と脚部支持部７０により、迅速且つ容易に対応することができる。
【００５１】
入浴作業が終了すると、洗浄・消毒作業を行う。枕６１は、簡単に枕収納部６２から分離できる。また、担架シート２０には、枕収納部６２と連結シート７２とベルト７１とが一体に設けられているため、その洗浄・消毒作業を同時に行うことができる。
【００５２】
好ましくは、枕収納部６２の表面シート２１ａと裏面シート２１ｂや連結シート７２に、担架シート２０のネットシート２１と同一の材質を用い、また、ベルト７１に、担架シート２０の補強用ベルト２３と同一の材質を用いることで、同一の洗剤や消毒剤を用いることができる。
【００５３】
また、担架シート２０を製造する際には、枕収納部６２と連結シート７２とベルト７１とを一体に製造することができるため、製造コストを削減することができる。
【００５４】
なお、以上の実施形態では、担架シート２０の形状は長手方向中央部に向かうに従い徐々に幅が狭くなった略長方形状であるが、本発明の担架シートはそのような形状に限定されるものではなく、たとえば長方形状など他の形状でもよい。また、支持用ベルトもロープ状のものであってもよい。
【００５５】
【発明の効果】
以上説明したように、本発明によれば、頭部支持部と脚部支持部により、入浴者の様々な身長や姿勢の維持に対応できるだけでなく、取扱いが簡便で、洗浄・消毒作業においても利便性が高い入浴者用担架を提供することができる。
【００５６】
さらに、本発明においては、面ファスナーを用いていないため、面ファスナーのゴミを除去するための洗浄作業を行う必要がない。
【００５７】
さらに、本発明の入浴用担架の頭部支持部と脚部支持部は、その構成部材が担架シートに設けられているため、入浴用担架の枠体等が設計変更された際にも、そのまま使用することが可能である。
【図面の簡単な説明】
【図１】従来の入浴用担架を示す斜視図である。
【図２】従来の入浴用担架に頭部支持帯４や脚部支持帯５を取付けた状体を示す斜視図である。
【図３】本発明の実施形態に係る入浴用担架を示す斜視図であって、枕６１が枕収納部６２に収容され、またベルト７１が略脚部側いっぱいに移動された状態を示している。
【図４】図３に示す頭部支持部６０を入浴者の頭部側から見た部分斜視図である。
【図５】図３に示す頭部支持部６０の部分断面図である。
【図６】図３に示す入浴用担架を示す斜視図であって、枕６１を枕収納部６２から部分的に引き出すとともに、ベルト７１を頭部側に移動させて連結シートが下方に垂れ下がった状態を示している。
【符号の説明】
１    入浴用担架（本発明）
１ａ  入浴用担架（従来構造）
４    頭部支持帯
５    脚部支持帯
１０  枠体
１１  左右把手管
１２  上部連結管
１３  下部連結管
１４  ハンドル
１５  ワイヤ
１６  連結金具
１７ａ  連結金具
１７ｂ  挿通孔
２０  担架シート
２１  ネットシート
２１ａ  表面シート
２１ｂ  裏面シート
２２  筒状体
２３  補強用ベルト
３０  支持用ベルト
６０  頭部支持部
６１  枕
６２  枕収納部
６３  開口部
７０  脚部支持部
７１  ベルト
７２  連結シート
【図１】
2004229822.tif 000003
【図２】
2004229822.tif 000004
【図３】
2004229822.tif 000005
【図４】
2004229822.tif 000006
【図５】
2004229822.tif 000007
【図６】
2004229822.tif 000008